(57)【要約】電気泳動ディスプレイパネル（１）は、階調パルスの適用に先行してリセットパルスを供給するため及びリセット電位差及び階調電位差の適用の間においてシェーキング電位差を供給するために、複数のピクチャ要素（２）と、ドライブ手段（１００）とを有する。ディスプレイパネルは、２つ又はそれ以上の散在した表示要素の群を有する。各々の群は、それらの群自体のシェーキング電位差の適用スキーム（Ｉ，ＩＩ）を供給され、シェーキング電位差のための適用スキームは、シェーキング電位差の発生が少なくとも一部の遷移のための前記群の間で異なるように、群毎に異なる。
2007523376.tif 000002
【特許請求の範囲】
【請求項１】
電気泳動ディスプレイパネルであって：
帯電粒子を有する電気泳動媒体；
複数のピクチャ要素；
電位差を受けるための各々のピクチャ要素と関連付けられた電極であって、前記帯電粒子は、前記電極近傍の極限位置及び前記電極の間の中間位置を占めることができ、前記極限位置は極限光学状態と関連付けられる、電極；並びに
ドライブ手段であって、前記複数のピクチャ要素の各々に対して、
前記帯電粒子が前記極限位置の一を実質的に占めるようにするためのリセット値及びリセット持続時間を有するリセット電位差と、
前記帯電粒子が画像情報に対応する位置を占めるようにするための階調電位差と、
前記リセット電位差及び前記階調電位差の適用の間のシェーキング時間期間中の一連のシェーキング電位差であって、前記複数のピクチャ要素は２つ又はそれ以上の散在したピクチャ要素の群を有し、前記ドライブ手段は、ピクチャ要素の各々の群にそれら群自体のシェーキング電位差の適用スキームを供給するように備えられ、前記のシェーキング電位差の適用スキームは、前記シェーキング電位差が前記群に適用される前記シェーキング時間期間が、時間差中、最初の光学状態から極限光学状態を介して最終の光学状態へのピクチャ要素の少なくとも一部の遷移のために完全に一致するように群毎に異なり、前記時間差は、それぞれの群についての最長のシェーキング時間期間の少なくとも２５％である、一連のシェーキング電位差と、
を供給するために備えられている、ドライブ手段；
を有することを特徴とする電気泳動ディスプレイパネル。
【請求項２】
請求項１に記載の電気泳動ディスプレイパネルであって、前記時間差は前記最長シェーキング時間期間の少なくとも５０％である、ことを特徴とする電気泳動ディスプレイパネル。
【請求項３】
請求項１に記載の電気泳動ディスプレイパネルであって、前記ドライブ手段は、前記シェーキング電位差の適用のための前記適用スキームがフレーム間の群の間で交番するようにシェーキング電位差を供給するように備えられている、ことを特徴とする電気泳動ディスプレイパネル。
【請求項４】
請求項１に記載の電気泳動ディスプレイパネルであって、前記群のための前記シェーキング時間期間は等しい長さを有する、ことを特徴とする電気泳動ディスプレイパネル。
【請求項５】
請求項１に記載の電気泳動ディスプレイパネルであって、異なる群のための前記シェーキング時間期間は異なる、ことを特徴とする電気泳動ディスプレイパネル。
【請求項６】
請求項１に記載の電気泳動ディスプレイパネルであって、前記ドライブ手段は、各々の群にそれらの群自体のシェーキング電位差を供給するように備えられ、前記のシェーキング電位差のための適用スキームは前記遷移に依存する固定時間差だけ群毎に異なる、ことを特徴とする電気泳動ディスプレイパネル。
【請求項７】
請求項１に記載の電気泳動ディスプレイパネルであって、ピクチャ要素の群の間の前記適用スキームは、時間差が遷移のために群の間で確立される点で異なるように、前記ドライブ手段は備えられ、それらの遷移において、シェーキングパルスにより後続されるリセット電位差の組み合わせは、最大期間より短い期間中、適用され、全ての要素の群については、シェーキングパルスにより後続される最大時間長のリセット電位差の組み合わせの適用は、共通の開始点と終了点を有する最大時間期間において同期化され、そして、全ての群及び遷移については、前記のリセット電位差の適用は前記最大時間期間を超えて長くならない、ことを特徴とする電気泳動ディスプレイパネル。
【請求項８】
複数のピクチャ要素を有する電気泳動ディスプレイ装置を駆動するための方法であって、リセット電位差は、ピクチャ要素の階調電位差の適用に先行して、前記ディスプレイ装置のピクチャ要素に適用され、リセット電位差及び階調電位差の適用の間において、シェーキング電位差がシェーキング時間期間中に適用され、複数のピクチャ要素は２つ又はそれ以上の散在しているピクチャ要素の群を有し、ピクチャ要素の各々の群はそれらの群自体のシェーキング電位差の適用スキームを供給され、前記のシェーキング電位差の適用スキームは、前記シェーキング電位差が前記群に適用される前記シェーキング時間期間が、時間差中、最初の光学状態から極限光学状態を介して最終の光学状態へのピクチャ要素の少なくとも一部の遷移のために完全に一致するように、群毎に異なり、前記時間差は、それぞれの群についての最長のシェーキング時間期間の少なくとも２５％である、ことを特徴とする方法。
【請求項９】
請求項８に記載の方法であって、前記シェーキング電位差は、シェーキング信号の適用のための適用スキームはフレーム間の群の間で交番するように適用される、ことを特徴とする方法。
【請求項１０】
請求項８に記載の方法であって、各々の群は、シェーキング電位差のためのそれらの群自体のスキームが供給され、前記のシェーキング電位差の提要スキームは、遷移に依存する固定時間差だけ群毎に異なる、ことを特徴とする方法。
【請求項１１】
コンピュータプログラムであって、該プログラムがコンピュータで実行されるとき、請求項８に記載の方法にしたがった方法を実行するためのプログラムコード手段を有することを特徴とするコンピュータプログラム。
【請求項１１】
コンピュータプログラムであって、該プログラムがコンピュータで実行されるとき、請求項８に記載の方法にしたがった方法を実行するためのコンピュータ読み出し可能媒体に記憶されているプログラムコード手段を有することを特徴とするコンピュータプログラム。
【発明の詳細な説明】
【技術分野】
【０００１】
本発明は、電気泳動ディスプレイパネルであって：
−  帯電粒子を有する電気泳動媒体；
−  複数のピクチャ要素；
−  電位差を受けるための各々のピクチャ要素と関連付けられた電極であって、帯電粒子は、電極間の中間の位置及び電極近傍の極限の位置を占めることができ、極限の位置は極限光学状態に関係付けられる、電極；
−  ドライブ手段であって、複数のピクチャ要素の各々に対して、
帯電粒子が極限の位置の１つを実質的に占めるようにするためにリセット期間中にリセット持続時間及びリセット値を有するリセット電位差と
粒子が画像情報に対応する位置を占めるようにするための階調電位差と、
リセット電位差と階調電位差の適用の間におけるシェーキング期間中の一連のシェーキング電位差と、
を供給するために備えられている、ドライブ手段；
を有する、電気泳動ディスプレイパネルに関する。
【０００２】
本発明はまた、複数のピクチャ要素を有する電気泳動表示装置を駆動するための方法であって、その方法において、リセット電位差が、前記ピクチャ要素に対する階調電位差の適用に先行して、その表示装置のピクチャ要素に適用され、リセット電位差と階調電位差の適用の間において一連のシェーキング電位差を適用する、方法に関する。
【背景技術】
【０００３】
冒頭の段落に記載されている種類の電気泳動ディスプレイパネルの実施形態については、国際公開第０３／０７９３２３号パンフレットに記載されている。
【０００４】
その記載されている電気泳動ディスプレイパネルにおいては、各々のピクチャ要素は、ピクチャの表示中に、ピクチャの位置により決定されるアピアランスを有する。しかしながら、粒子の位置は、電位差ばかりでなく、電位差の履歴にも依存する。リセット電位差の適用の結果としての、ピクチャ要素のアピアランスの履歴依存性は、階調電位差が適用される前に粒子が極限位置の一を実質的に占めているために低減される。それ故、ピクチャ要素は、極限状態の一にいちいちリセットされる。本発明のフレームワークの範囲内で、“リセット”は、要素を極限状態にするために十分な電位差であって、そうするために必要であるより長くない電位差の適用を意味し、即ち、リセットパルスは要素を極限状態にするには十分に長いが、要素を極限状態にするために必要とするより実質的に長くないことを意味する。続いて、ピクチャ電位差の結果として、粒子は、画像情報に対応する階調を表示する位置を占める。“階調”は、何れの中間状態を意味すると理解される。表示が白黒表示であるとき、“階調”は、実際には、階調の濃淡に関係し、他の種類のカラー要素が用いられるとき、‘階調’は、極限状態間の何れの中間的状態を包含するとして理解される。
【０００５】
画像情報が変化するとき、ピクチャ要素はリセットされる。リセット電位差と階調電位差との間において、一連のシェーキング電位差が適用される。国際公開第０３／０７９３２３号パンフレットにおいて、それらの電位差は“プリセット電位差”と呼ばれている。シェーキング電位差は、２つの電極の一において静止状態から電気泳動粒子を開放するためには十分であるが、電極の他の一に達するには小さ過ぎるエネルギーを有するパルスを有する。表示装置は、所定状態、例えば、黒色状態に切り換えられた後、電気泳動粒子は静止状態になり、続いて、白色状態に切り換えられるとき、粒子の運動量は、それらの初速は略０であるために小さいとして、その基本的な機構について説明できる。そのことは、長い切り換え時間をもたらす。シェーキング（又は、“プリセット”）パルスの適用は、電気泳動粒子の運動量を増加させ、それ故、切り換え時間を短縮する。
【０００６】
シェーキング（又は、“プリセット”）電位差を適用する有利な効果にも拘わらず、本発明者は、リセット期間の終了時に一の画像から他の画像への切り換え中に、そのシェーキング電位差はまた、マイナス効果を有することを理解した。階調画像がリセットされるとき、純粋の白黒画像が生成される。この白黒画像は、シェーキング電位差の適用中、保たれる。それ故、ある期間中、可視的なハーシュ白黒画像が視認される。灰色色調を有する一の画像から、ある時間中にハーシュ且つ灰色色調画像が可視的である純粋の白黒画像を介して、灰色色調を有する他の画像へのこのような遷移は、ビューアにとって攪乱的である。
【特許文献１】国際公開第０３／０７９３２３号パンフレット
【発明の開示】
【発明が解決しようとする課題】
【０００７】
本発明の目的は、一の画像から他の画像への非常に魅力的な切り替えを与えることができる、冒頭の段落で説明した種類のディスプレイパネルを提供することである。
【課題を解決するための手段】
【０００８】
その目的は、それ故、複数のピクチャ要素は２つ又はそれ以上の散在しているピクチャ要素の群を有し、駆動手段は、それ自体のシェーキング電位差の適用スキームをピクチャ要素の各々の群に供給するために備えられ、シェーキング電位差の適用スキームは、シェーキング電位差が前記群に適用されるシェーキング時間期間が、時間差の間に、初期の光学状態から極端光学状態を介して最終の光学状態へのピクチャ要素の少なくとも一部の遷移について、完全に一致するように、群毎に異なることを達成することである。その時間差は、特に、群のためのシェーキング時間期間が同じ長さを有する場合、又は、開始時間、終了時間又はそれら両方において異なる持続時間を有するシェーキング電位差の場合に、シェーキング電位差の開始時間、シェーキング電位差の終了時間、即ち、シェーキング時間期間の開始又は終了における差によるものである。
【０００９】
極限状態の１つにピクチャ要素をリセットすることは、異なるピクチャ要素についてリセット電位の適用を必要とする。その後、シェーキングパルスが、シェーキング時間期間中、適用され、その後、階調電位差が適用される。
【００１０】
本発明の概念は、ディスプレイパネル、それと共にディスプレイパネルに表示される画像を２つ又はそれ以上の要素の群に分割するようにする。要素の群の各々に対して、この攪乱の影響が生じ、それ故、攪乱中間画像は可視的である。しかしながら、全画像は２つ又はそれ以上の混合画像を有し、それらの群の影響の和は軽減され、少なくともその影響は減少される。そのようにするために、純粋な白黒画像が可視的である期間、即ち、シェーキングパルスが適用されている期間は、群毎に異なり、即ち、シェーキング時間期間は完全には一致せず、即ち、シェーキング期間が一致しない時間は、白黒画像が可視的である時間の長さの実質的に一部（少なくとも２５％、好適な実施形態においては、少なくとも５０％、最も肯定な実施形態においては、７５％以上、好適には、１００％）であり、群は散在していて、即ち、通常の視聴距離からビューアがみる（即ち、拡大鏡等を用いないで）とき、異なる群により生成される画像は１つの画像に融合される。群の各々は、それ自体がみられているとき、画像を有する灰色色調間でハーシュ純粋白黒画像を示す攪乱の影響をもたらす。しかしながら、この影響が可視的である関連時間期間は、少なくとも遷移の一部について、群毎に異なり、それらの群は散在し、人間の目にとっては１つの単一画像を形成し、人間の目は群の影響を合成され、攪乱の少ない影響に平均化され、よりスムーズな画像切り替えが得られる。“散在している”は、通常の又は標準的な視聴距離（スクリーンの対角線の寸法の約３倍又はそれ以上）からビューアがみるとき、個々の群による画像は１つの画像に融合されることを意味する。そのような散在している群の一部の実施例は、例えば、偶数個の行又は偶数個の列が１つの群に属し、奇数個の行又は奇数個の列が他の群に属すような群である。ディスプレイ装置の列及び行のサイズは、通常の視聴距離において、それらのサイズがビューアにとって個別的に区別可能でなく、それ故、隣接する行を有する群における分離は２つの画像を１つの画像に融合する。それらの群はまた、行及び列の寸法が十分に小さい場合、列又は行の対、若しくは、列又は行の少数（１、２、３又は４つ）を有する交互の束を有することが可能である。また、小さい寸法のチェッカー盤状パターンを用いることが可能である。散在していない群は、例えば、１つの群はディスプレイスクリーンの左側半分を有し、他の群はディスプレイスクリーンの右側半分を有する、又は、１つの群はディスプレイスクリーンの上側半分を有し、他の群はディスプレイスクリーンの下側半分を有するような群である。そのような群は、ディスプレイスクリーンの異なる部分をカバーし、ビューアは、ほんの僅か異なって、上側（右側）半分において、次いで、下側（左側）半分において、単純に、同じ影響を２回見る。効果的なスムージング効果を可能にするように、時間差は少なくとも２５％であり、好適には、５０％であり、又は、白黒画像が可視的である時間より長い。
【００１１】
好適には、ドライブ手段は、シェーキング電位差の適用のための適用スキームがフレーム間のピクチャ要素の群の間で交番するように備えられている。
【００１２】
群間で異なるシェーキング信号の適用は、画像切り替えのハーシュネスを低減する上記のプラスの効果を有する。しかしながら、異なる群のための異なるスキームにおいてシェーキングパルスを適用することはプラスの効果を有するが、より長い時間スケールでみて、要素の全ての群がシェーキング電位差の適用と実質的に同じ履歴を有する場合、そのシェーキング信号の適用は最適である。画像間でピクチャ要素の群間のシェーキング電位差の適用のためのスキームを交番することにより、ピクチャ要素の群間の差は最小化される。それ故、例えば、ピクチャ要素の２つの群（Ａ、Ｂ）が用いられ、２つの適用スキームＩ及びＩＩがシェーキング電位差の適用のために用いられる場合、第１フレームにおいて、スキームＩが群Ａのために用いられ、そして、スキームＩＩが群Ｂのために用いられ、次のフレームにおいて、スキームＩＩが群Ａのために用いられ、そして、スキームＩが群Ｂのために用いられ、元に戻って、スキームＩが群Ａのために用いられ、そして、スキームＩＩが群Ｂのために用いられる、等である。３つ以上の群と共に、スキームの置換又は回転を用い、それらの群において、本発明の概念の範囲内のその置換又は回転は“交互的”である。好適な実施形態においては、それらのスキームは、フレームの変化毎に交互に変わるが、本発明の広い概念の範囲内では、それらのスキームは、ｎ個のフレーム毎に交互に変わることが可能であり、ここでは、ｎは１、２、３のような小さい数である。
【００１３】
一実施形態においては、駆動手段は、各々の群にそれらの群自体のシェーキング電位差のスキームを供給するように備えられ、シェーキング電位差のための適用スキームは、遷移依存性の時間差のみだけ、群毎に異なる。
【００１４】
この実施形態においては、時間差（遅延）は、シェーキング電位差の適用の間で確立される。適用スキームは、基本的に、各々の群について同じであるが、遅延だけ時間がシフトされる。パルスの適用は、異なる群に対して異なる時間に開始され、終了される。これは単純な実施形態であり、各々の波形に対して同じである単純な波形遅延以上に必要としない。
【００１５】
本発明にしたがった方法において、その方法は、ピクチャ要素への階調電位差の適用に先行して、リセット電位差がディスプレイ装置のピクチャ要素に適用され、リセット電位差と階調電位差の適用の間において、シェーキング電位差がシェーキング時間期間中に適用され、複数のピクチャ要素は２つ又はそれ以上のピクチャ要素の散在した群を有し、そして、ピクチャ要素の各々の群はそれら自体のシェーキング電位差の適用スキームを供給され、シェーキング電位差のための適用スキームは、シェーキング電位差が前記群に適用されるシェーキング時間期間が、時間差（Δ）の間、最初の光学状態から極限光学状態を介して最終の光学状態にピクチャ要素の少なくとも一部の遷移のために、完全に一致するように、群毎に異なり、時間差は、それぞれの群についての最長シェーキング時間期間の少なくとも２５％であることを特徴とする。
【００１６】
本発明のディスプレイパネルの上記の及び他の特徴については、以下、図を参照して詳述し、明らかにする。
【００１７】
図の全てにおいて、対応する部分は、通常、同じ参照番号で表している。
【発明を実施するための最良の形態】
【００１８】
図１及び２は、第１基板８と、対向する第２基板と、複数のピクチャ要素２とを有するディスプレイパネル１の実施形態を示している。好適には、ピクチャ要素２は、実質的に直線に沿って二次元構造に配列されている。ピクチャ要素２の他の配列、例えば、ハニカム配列が、代替として可能である。帯電粒子６を有する電気泳動媒体５は各々のピクチャ要素２と関連付けられている。電極３、４は、電位差を受けることができる。図２においては、第１基板２は各々のピクチャ要素２のために第１電極３を有し、第２基板９は各々のピクチャ要素２のために第２電極４を有する。帯電粒子６は、電極３、４近傍の極限位置と、電極３、４間の中間位置とを占めることができる。各々のピクチャ要素２は、ピクチャを表示するために電極３、４間の帯電粒子の位置により決定されるアピアランスを有する。電気泳動媒体５それ自体については、米国特許第５，９６１，８０４号明細書、米国特許第６，１２０，８３９号明細書及び米国特許第６，１３０，７７４号明細書により知られていて、例えば、Ｅ  Ｉｎｋ社製のものがある。例としては、電気泳動媒体５は、白色流体中に負に帯電した黒色粒子６を有するものがある。帯電粒子６が第１極限位置に、即ち、第１電極３近傍にあるとき、例えば、１５Ｖである電位差の結果として、ピクチャ要素２のアピアランスは、例えば、白色である。ここで、ピクチャ要素２が第２基板９の側から観測されることを考慮する。帯電粒子６が第２極限位置に、即ち、第２電極近傍にあるとき、逆極性、即ち、−１５Ｖである電位差の結果として、ピクチャ要素２のアピアランスは黒色である。帯電粒子６が中間位置の一に、即ち、電極３、４間にあるとき、ピクチャ要素２は中間アピアランス、即ち、薄い灰色、中間の灰色及び濃い灰色の一を有し、それは白色と黒色との間の階調である。ドライブ手段１００が、粒子６が極限位置の一を実質的に占めることを可能にするために、リセット値及びリセット持続時間を有するリセット電位差であるように、そして、実質的に、粒子６が画像情報に対応する位置を占めることを可能にするための階調電位差であるように、各々のピクチャ要素２の電位差を制御するために備えられている。
【００１９】
図３は、２つの基板３３、３４の間に存在している電子インク、例えば、ポリエチレンを有する電気泳動フィルム、ベース基板３２を有する、例えば、数個の表示要素のサイズの電気泳動ディスプレイ装置３１の更なる実施例の一部の断面であって、基板３３は透明なピクチャ電極３５を備え、他の基板３４は透明な対向電極３６を備えている、断面を示している。電子インクは、約１０乃至５０μｍの複数のマイクロカプセルを有する。各々のマイクロカプセル３７は、流体Ｆに浮遊している正に帯電した白色粒子３８と負に帯電した黒色粒子３９とを有する。静電界が画素電極３５に適用されるとき、白色粒子３８は、対向電極３６に方向付けられたマイクロカプセル３７の側に移動し、表示要素はビューアにとって可視的になる。同時に、黒色粒子３９は、それらがビューアにとって見えないマイクロカプセル３７の反対側に移動する。画素電極に負電界を適用することにより、黒色粒子３９は対向電極３６の方に方向付けられたマイクロカプセル３７の側に移動し、表示要素はビューア（図示せず）にとって暗くなる。電界が除去されるとき、粒子３８、３９は得られた状態に維持され、ディスプレイは、双安定特性を示し、実質的に電力は消費されない。粒子が黒色及び白色であることが可能であるが、また、着色されていることが可能である。この点で、“階調”は、何れの中間的状態を意味すると理解されるべきであることが理解できる。ディスプレイが白黒のディスプレイであるとき、“階調”は、実際には、灰色色調に関係し、他の種類の着色要素が用いられるとき、‘階調’は、極限状態間の何れの中間的状態を包含すると理解されるべきである。
【００２０】
図４は、アクティブなスイッチング要素と、行ドライバ４６と、列ドライバ４０とを備えたベース基板３２において積層された電気泳動フィルムを有するピクチャ表示装置３１の等価回路を示している。好適には、対向電極３６が、カプセル化された電気泳動インクを有するフィルムにおいて備えられるが、面内電界を用いる動作の場合には、ベース基板において備えられる。表示装置３１は、アクティブスイッチング要素であって、この実施例においては、薄膜トランジスタ４９により駆動される。表示装置３１は、行又は選択電極４７と列又はデータ電極４１との交差領域において表示要素のマトリクスを有する。行ドライバ４６は、行電極４７を連続的に選択する一方、列ドライバ４０は、列電極４１にデータ信号を供給する。好適には、処理器４５は、先ず、入力データをデータ信号に処理する。列ドライバ４０と行ドライバ４６との間の相互同期化が駆動ラインを介して行われる。行ドライバ４６からの選択信号は、ゲート電極５０が行電極４７に電気的に接続され、ソース電極５１が列電極４１に電気的に接続されている、薄膜トランジスタ４９により画素電極４２を選択する。列電極４１に存在するデータ信号は、ＴＦＴを介してドレイン電極に結合された表示要素の画素電極５２に転送される。その実施形態においては、図３の表示装置はまた、各々の表示要素４８における位置に付加コンデンサ５３を有する。この実施形態においては、付加コンデンサ５３は、１つ又はそれ以上の記憶コンデンサライン５４に接続されている。ＴＦＴに代えて、他のスイッチング要素、例えば、ダイオード、ＭＩＭ等を適用することができる。
【００２１】
実施例としては、リセット電位差の適用前には、サブセットのピクチャ要素のアピアランスは薄い灰色であり、Ｇ２で表されている。更に、同じピクチャ要素の画像情報に対応するピクチャアピアランスは濃い灰色であり、Ｇ１で表されている。この実施例においては、ピクチャ要素の電位差は、図５Ａでは時間の関数として示されている。リセット電位差は、例えば、１５Ｖの値を有し、時間ｔ１から最大リセット持続時間、即ち、リセット期間プリセットである時間ｔ２、ｔ３までを有する。リセット持続時間及び最大リセット持続時間は、例えば、それぞれ、５０ｍｓｅｃ及び３００ｍｓｅｃである。その結果、ピクチャ要素は実質的に白色であり、Ｗで表されている。ピクチャ電位差（階調電位差）はｔ３からｔ４まで存在し（Ｐｇｒｅｙ−ｓｃａｌｅ  ｄｒｉｖｉｎｇ）、例えば、−１５Ｖの値及び、例えば、１５０ｍｓｅｃの持続時間を有する。その結果、ピクチャ要素は、ピクチャを表示するために濃い灰色（Ｇ１）のアピアランスを有する。リセット電位差と階調電位差との間には、Ｐｓｈａｋｉｎｇで図に示されている、一連のシェーキング電位差がｔ３とｔ４との間に適用される。
【００２２】
他の実施例としては、図５Ｂにおいて、ピクチャ要素の電位差が時間の関数として示されている。ピクチャ要素のアピアランスは、リセット電位差の適用の前には、濃い灰色（Ｇ１）である。更に、ピクチャ要素の画像情報に対応するピクチャのアピアランスは薄い灰色（Ｇ２）である。リセット電位差は、例えば、１５Ｖの値を有し、時間ｔ１から時間ｔ２まで存在する。リセット持続時間は、例えば、１５０ｍｓｅｃである。その結果、ピクチャ要素は、実質的に白色（Ｗ）であるアピアランスを有する。階調又はピクチャ電位差が時間ｔ４から時間ｔ５まで存在し（Ｐｇｒｅｙ−ｓｃａｌｅ  ｄｒｉｖｉｎｇ）、例えば、−１５Ｖの値及び、例えば、５０ｍｓｅｃの持続時間を有する。その結果、ピクチャ要素は、ピクチャを表示するために薄い灰色（Ｇ２）のアピアランスを有する。シェーキング期間Ｐｓｈａｋｉｎｇ中、一連のシェーキング電位差が適用される。
【００２３】
他の実施形態の変形においては、駆動手段１００は、画像情報に対応する粒子６の位置に最も近い極限位置を粒子６が占めることを可能にするように、各々のピクチャ要素のリセット電位差を制御するために更に備えられている。実施例としては、ピクチャ要素のアピアランスは、リセット電位差の適用前には、薄い灰色（Ｇ２）である。更に、ピクチャ要素の画像情報に対応するピクチャのアピアランスは濃い灰色（Ｇ１）である。この実施例においては、ピクチャ要素の電位差は、図６Ａにおいては、時間の関数として示されている。リセット電位差は、例えば、−１５Ｖの値を有し、時間ｔ１から時間ｔ２まで存在する。リセット持続時間は、例えば、１５０ｍｓｅｃである。その結果、粒子６は第２極限位置を占め、そのピクチャ要素は、実質的に黒色のアピアランスを有し、Ｂで表されていて、その第２極限位置は画像情報に対応する粒子６の位置に最も近い、即ち、ピクチャ要素２は濃い灰色のアピアランス（Ｇ１）を有する。階調電位差は時間ｔ４から時間ｔ５まで存在し、例えば、１５Ｖの値及び、例えば、５０ｍｓｅｃの持続時間を有する。また、一連のシェーキングパルスが、Ｐｓｈａｋｉｎｇ中、適用される。その結果、ピクチャ要素２は、ピクチャを表示するために、濃い灰色（Ｇ１）であるアピアランスを有する。他の実施例としては、他のピクチャ要素のアピアランスは、リセット電位差が適用される前には、薄い灰色（Ｇ２）である。更に、このピクチャ要素の画像情報に対応するピクチャのアピアランスは実質的に白色（Ｗ）である。この実施例については、ピクチャ要素の電位差は、図６Ｂにおいて時間の関数として示されている。リセット電位差は、例えば、１５Ｖの値を有し、時間ｔ１から時間ｔ２まで存在する。リセット持続時間は、例えば、５０ｍｓｅｃである。その結果、粒子６は第１極限位置を占め、ピクチャ要素は、実質的に白色（Ｗ）のアピアランスを有し、その第１極限位置は画像情報に対応する粒子６の位置に最も近い、即ち、ピクチャ要素２は実質的に白色のアピアランスを有する。アピアランスは、ピクチャを表示するために、既に実質的に白色であるため、ピクチャ電位差は時間ｔ４から時間ｔ５まで存在し且つ０Ｖの値を有する。この場合、シェーキングパルスを用いることは必要なく、粒子は必ずしも、シェーキングされる必要はない（即ち、任意であり、必要に応じて、可能である）。最終の階調が極限状態（黒色又は白色）である遷移については、リセットの後、要素は意図された光学状態にあるため、階調電位差は、リセット後に適用されることは必要ない。そのような遷移については、シェーキングパルスを用いることは必要なく、又は、そのことは、一般に、有用でもない。最初の光学状態（即ち、有効なリセットパルスの適用前）が最後の光学状態に等しい遷移については、リセットパルスを用いることは必要なく、したがって、シェーキングパルスは必要ない。遷移がシェーキングパルスを用いるそれぞれの群で比較される本発明のフレームワークにおいて、群についての期間Ｐｓｈａｋｉｎｇは互いに比較され、差が決定される。
【００２４】
図７においては、ピクチャ要素は、実質的に直線７０に沿って配列されている。粒子６が、極限位置の一、例えば、第１極限位置を実質的に占める場合、ピクチャ要素は、実質的に等しい第１アピアランス、例えば、白色を有する。粒子６が、極限位置の他の一、例えば、第２極限位置を実質的に占める場合、ピクチャ要素は、実質的に等しい第２アピアランス、例えば、黒色を有する。駆動手段は、粒子６が等しくない極限位置を実質的に占めることを可能にする各々の線７０に沿って、続くピクチャ要素２のリセット電位差を制御するために更に配列されている。図７は、リセット電位差の結果として、第１アピアランス及び第２アピアランスの平均を表すピクチャを示している。そのピクチャは、実質的に中間の灰色を表す。
【００２５】
図８においては、ピクチャ要素２は、実質的に直線状の行７１にそって、そして、二次元構造においてそれらの行に対して実質的に垂直である実質的に直線状の列７２に沿って配列され、各々の行７１は、第１のピクチャ要素の数、例えば、図８においては４を有し、各々の列７２は、第２のピクチャ要素の数、例えば、図８においては３を有する。粒子６が、極限位置の一、例えば、第１極限位置を実質的に占める場合、ピクチャ要素は、実質的に等しい第１アピアランスを有する。粒子６が、極限位置の他の一、例えば、第２極限位置を実質的に占める場合、ピクチャ要素は、実質的に等しい第２アピアランスを有する。駆動手段は、粒子６が等しくない極限位置を実質的に占めることが可能であるように各々の行７１に沿って、続くピクチャ要素２のリセット電位差を制御するために更に配列され、そして、駆動手段は、粒子６が等しくない極限位置を実質的に占めることが可能であるように各々の列７２に沿って、続くピクチャ要素２のリセット電位差を制御するために更に配列されている。図８は、リセット電位差の結果として、第１アピアランス及び第２アピアランスの平均を表すピクチャを示している。そのピクチャは実質的に中間の灰色を示し、上記実施形態に比べて、幾らかスムーズである。
【００２６】
その装置の変形においては、駆動手段は、リセット電位差の前に、プリセット電位差のシーケンスであるように各々のピクチャ要素の電位差を制御するために更に備えられている。好適には、プリセット電位差のシーケンスはプリセット値及び関連プリセット持続時間を有し、そのシーケンスのプリセット値は符号が交互に変わり、各々のプリセット電位差は、極限位置の一に存在する粒子６をそれらの位置から開放するには十分であるが、前記粒子が極限位置の他の一に達すようにするには不十分であるプリセットエネルギーを表している。実施例として、ピクチャ要素のアピアランスは、プリセット電位差のシーケンスの適用前には、薄い灰色である。更に、ピクチャ要素の画像情報に対応するピクチャアピアランスは濃い灰色である。この実施例のために、ピクチャ要素の電位差が、図９において、時間の関数として示されている。その実施例においては、プリセット電位差のシーケンスは、時間ｔ０からｔ１までに実質的に、適用される４つのプリセット値、即ち、１５Ｖ、−１５Ｖ、１５Ｖ及び−１５Ｖを有する。各々のプリセット値は、例えば、２０ｍｓｅｃの間、適用される。続いて、リセット電位差は、例えば、−１５Ｖの値を有し、時間ｔ１からｔ２まで存在する。リセット持続時間は、例えば、１５０ｍｓｅｃである。その結果、粒子６は第２極限位置を占め、ピクチャ要素は実質的に黒色のアピアランスを有する。階調電位差は、時間ｔ３からｔ４まで存在し、例えば、１５Ｖの値及び、例えば、５０ｍｓｅｃの持続時間を有する。その結果、ピクチャ要素２は、ピクチャを表示するために、濃い灰色であるアピアランスを有する。プリセットパルスの適用のプラス効果の基礎を成す機構のための特定の説明に結びつけられることなく、プリセットパルスは、リセット駆動電位差と階調駆動電位差との間にあるシェーキングパルスの適用と同じ効果を有する、即ち、電気泳動粒子の運動量を増加させ、それ故、切り替え時間を短縮し、それ故、切り替え、即ち、アピアランスの変化を達成するために必要な時間を短縮することが前提となっている。表示装置が所定状態、例えば、黒色状態に切り替えられた後、電気泳動粒子は、それらの粒子の周りの逆符号のイオンにより“凍結”されることがまた、可能である。続いて、白色状態に切り替えられるとき、それらの逆符号のイオンはタイムリーに開放される必要がある、そのことは付加的な時間を必要とする。プリセットパルスの適用は、逆符号のイオンの開放を、それ故、電気泳動粒子の凍結解除を短縮し、したがって、切り替え時間を短縮する。
【００２７】
上記のように、電気泳動表示における階調の正確度は、画像履歴、滞留時間、温度、湿度、電気泳動フォイルの側方不均一性等に強く影響される。リセットパルスを用いる場合、正確な階調レベルは、階調は常に、基準黒色状態（Ｂ）又は基準白色状態（Ｗ）（２つの極限状態）のどちらから達成される。パルスシーケンスは、通常、３つ乃至４つの部分であって、シェーキングパルス（任意に、ここでは、シェーク１とまた、呼ぶ）、リセットパルス（Ｐｒｅｓｅｔ中）、シェーキングパルス（Ｐｓｈａｋｉｎｇ）及び階調駆動パルス（Ｐｇｒｅｙ  ｓｃａｌｅ  ｄｒｉｖｉｎｇ）有する。
【００２８】
上記の実施例において説明したように、オーバーリセット電位が用いられる。オーバーリセット電位差の適用は、一部の時間期間の間、続いて維持される純粋な白黒に各々のピクチャ要素を、それ故、画像を駆動する。それ故、灰色色調を有する画像から開始して、灰色色調を有する他の画像に変化する場合、純粋な白黒の中間画像が見える。この中間画像はビューアにとって可視的である。図１０は、ｔ＝０において灰色色調の画像から開始し、他の灰色色調の画像Ｂが生成される遷移について示している。中間の純粋な白黒画像Ｉは、時間ｔ′１とｔ３との間で可視的である。図の下に、ハーシュネスファクタＨを模式的に示している。時間ｔ′１とｔ３との間、即ち、オーバーリセット条件が維持されているとき、ハーシュ画像が示される。これは攪乱影響である。例えば、他に同じ状態にある灰色色調の画像の僅かなシフトがそのような影響をもたらすことを述べておく必要がある。その純粋な白黒画像が可視的である理由については、図１１における実施例として説明することできる。
【００２９】
白色（Ｗ）から濃い灰色（ＤＧ）へ、薄い灰色（ＬＧ）から濃い灰色（ＤＧ）へ、濃い灰色（ＤＧ）から黒色（Ｂ）へ及び黒色（Ｂ）から濃い灰色（ＤＧ）への４つの遷移についての適用スキームを順に図示している。各々の波形は、リセット信号、シェーキング信号（シェーク２）及び最終の階調電位差（Ｖ，ｔ）ｄｒｉｖｅを有する。リセット信号の適用の終了時に、要素は最終光学状態に達し、この場合、その最終光学状態は黒色であるこの点は矢印Ｂで示されている。その点から前方に、シェーキング２中、要素は最終状態に、即ち、完全に黒色に保たれる。同様な図を、極限の白色の光学状態を介する遷移について描くことが可能である。時間ｔ＝０まで、オリジナルの灰色色調の画像が可視的である。要素は黒色に変化し、全ての要素はリセット期間の終了時に黒色である。階調駆動期間の開始時に、要素の光学状態は、階調駆動期間の終了時まで、再び、変化し、その時点で、灰色色調の画像Ｂは可視的である。このスキームは、シェーキング２（Ｐｓｈａｋｉｎｇ）中、要素全てが黒色であることを示している。この時間期間中、純粋な白黒画像が可視的である。これについては、下で、模式的に図示している。
【００３０】
図１２は、１つの変化を有する図１１のスキームを示し、シェーキング電位差の適用は、遅延時間Δだけ、この実施例においては、遅延時間Δだけパルストレインの全体をシフトすることにより、遅延される。その図の一番下に示しているように、この変化は、実際には、問題を改善しない。純粋の白黒画像は、遅延Δのみだけ遅延される、等しく長い時間期間Ｐｓｈａｋｉｎｇの間、可視的である。しかしながら、両方のスキームについての可視的効果は同じであるが、人間の眼が平均画像を見るスクリーンにおいて非常に分散された要素が２つの群に分割されているスキームの組み合わせは、その効果を低減させる。
【００３１】
これについては図１３に示している。その図の上の部分は、スキームＩ（図１１）及びＩＩ（図１２）についてのハーシュネス指標Ｈを模式的に示していて、上で、群の各々に対して別個に説明したように、攪乱する可視的影響が生じる。要素が２つの散在した群に分割されるとき、全体的な影響は図１３の下半分に模式的に示されていて、画像間の非常に長い徐々の変化が示されている。この実施例においては、遅延時間は、シェーキング期間Ｐｓｈａｋｉｎｇに略等しい。効果を得るためには、遅延時間は、少なくともシェーキング期間の２５％であり、好適には、その５０％又はそれ以上であり、更に好適にはその７５以上、好適には、１００％である。ΔがＰｓｈａｋｉｎｇに略等しいか又はそれより大きい（２つの群が用いられる）場合、非常に徐々の切り換えが得られる。
【００３２】
図１１及び１２は、群間に適用される電位差の波形における差を単純な時間遅延Δが特徴付けている、本発明の簡単な実施形態を示している。基本的には、両方の群に対して、リセットシェーキング階調電位差の同じスキームが各々の遷移について適用され、パルストレインのみがシフトする。この実施例においては、２つの群が用いられている。本発明のフレームワークにおいては、３つ以上の群が用いられることが可能であり、その場合、一般に、用いられる群が多ければ多いほど、遷移はスムーズになされるが、エレクトロニクスは複雑化する。
【００３３】
そのような実施形態は比較的簡単であるが、図１３に示すような不利点を有し、例えば、遅延時間Δだけ、全遷移時間は増加する。図示している実施例においては、時間差は加えられた時間差であり、即ち、全ての遷移に対して同じであり、それは、好適な実施形態である。実施形態においては、時間差は異なる遷移に対して異なることが可能であることを説明しておく。
【００３４】
図１４は、そのようではない、本発明の実施形態の実施例について示している。そのスキームＩ及びＩＩは、初期状態から黒色状態への遷移について示していて、ここで、初期状態は、白色（Ｗ）、薄い灰色（Ｇ２）及び濃い灰色（Ｇ１）であり、最終の灰色レベルＧ１への遷移が後続している。両方のスキームにおいて、最も長い持続時間（白色（Ｗ）から黒色（Ｂ）まで）のオーバーリセット電位差の適用のための波形は同じであり、同じ時間に開始し、そして、同じ時間に終了する。他の遷移のための波形は何れも、それらの開始時点又は終了時点を超えない。左側のスキームＩを右側のスキームＩＩと比較するとき、シェーキングパルスの開始は、最も長い遷移（ＷからＢへ、そしてＧ１へ）以外の全てについての時間的なシフトについて示している。したがって、その結果、スキームＩ及びＩＩを用いる２つの散在する群が用いられるとき、最も長い遷移以外の全てについてスムージング効果が生じる。
【００３５】
この実施形態においては、シェーキングパルスの開始のために遷移の群（Ｇ２−Ｂ、Ｇ１−Ｂ、Ｂ−Ｂ）間で時間差（Δ′）が確立され、全ての群について、長さＰｓｈａｋｉｎｇのシェーキングパルスにより後続される最大時間長（Ｗ−Ｂ）のリセット電位差の組み合わせの適用が、共通の開始点（ｔｓｔａｒｔ）及び終了点（ｔｅｎｄ）を有する最大時間期間において同期化され、そして、全ての群及び遷移について、リセット電位差の適用は前記最大時間期間を超えて時間を延ばされないように、ドライブ手段は備えられている。その時間差は、時間差が適用される全ての遷移について、一定の長さであることが可能であり、好適には、一定の長さである。このことは、スキームＩとスキームＩＩとの間の差を簡単化する。より複雑な実施形態においては、その時間差は遷移に依存し得る。有利点は、遷移時間が増加しないことであり、不利点は、複雑な駆動スキームが実施される必要があることである。
【００３６】
図１１、１２及び１４は、負に帯電した白色粒子と正に帯電した黒色粒子とを有する実施形態を示していることに留意する必要がある。本発明については、白色粒子が負に帯電していて、黒色粒子が正に帯電しているかどうか又はその逆であるかどうかによる差異はない。
【００３７】
図１５は、異なるシェーキングパルス期間ＰｓｈａｋｉｎｇＩ及びＰｓｈａｋｉｎｇＩＩが重なり合う又は異なることが可能であることを示している。一番上には、シェーキングパルス期間ＰｓｈａｋｉｎｇＩ及びＰｓｈａｋｉｎｇＩＩの長さが同じであるが、シフトΔが存在する、既に与えられている実施例と比較されることが可能である状態が示されている。図の真ん中においては、シェーキング期間は同時に開始するが、半分の異なる長さにある、他の可能性を示していて、この実施例においては、スキームＩＩにおけるシェーキング期間の長さはスキームＩのシェーキング期間の略半分である。これはまた、差Δに繋がり、この場合、Δ＝０．５ＰｓｈａｋｉｎｇＩ＝ＰｓｈａｋｉｎｇＩＩである。Δは、それ故、最長のシェーキング時間期間の２５％より長い。図の一番下において、類似する状態について示されていて、シェーキング期間は、シェーキング期間の終了時にのみ同期化される。図１の真ん中及び一番下に示す状態の最も極端な実施例においては、シェーキング期間ＰｓｈａｋｉｎｇＩＩの長さは０であり、即ち、それらの群の１つにおいて、シェーキングパルスが適用され、それ以外においては適用されない。
【００３８】
特に、シェーキング期間の長さが異なるとき、最も好適には、スキームは変えられる。シェーキング期間の長さが異なる場合、最長のシェーキング期間は、通常、“適切な長さ”、即ち、シェーキングパルスの全部の効果を得るために必要である長さである。同じ群に繰り返して適用される場合、短いシェーキングパルス（又はシェーキングパルスがないこと）は、群の間の階調における差に繋がる。群の間でスキームを変えることにより、幾つかの画像遷移に亘って平均化され、全ての要素は同じシェーキングパルスを受けるため、この影響は取り除かれる。
【００３９】
群の間で異なるシェーキング電位差の適用は、画像切り換えのハーシュネスを削除する、上記のプラスの効果を有する。本発明にしたがった装置及び方法を用いると、よりスムーズは画像遷移が与えられるが、長い時間スケールでみると、全ての群がシェーキング信号の適用の実質的に同じ履歴を有する場合、その群の間で異なるシェーキング電位差の適用は最適である。画像間の群の間でシェーキング信号の適用のためのスキームを変えることにより、群の間の電位差は最小化される。それ故、例えば、２つの群（Ａ、Ｂ）を用い、シェーキング電位差の適用のために２つのスキームＩ及びＩＩを用いる場合、第１フレームスキームＩが群Ａについて用いられ、スキームＩＩが群Ｂについて用いられ、続くフレームスキームＩＩは群Ａについて及びスキームＩＩは群Ｂに用いられ、続くフレームにおいて、群ＡについてのスキームＩに及び群ＢについてスキームＩＩに戻る。３つ以上の群を有する場合、スキームの置換又は回転が用いられ、本発明の概念の範囲内で、“交番する”ことが可能である。好適な実施形態においては、スキームは、各々のｎ個のフレームを交番することが可能であり、ここで、ｎは、１、２、３のような小さい数である。全てのフレームの代わりに全ての第２フレーム又は第３フレームを交番する有利点は、それが簡単であることである。
【００４０】
散在している群に分割された複数の表示要素はディスプレイ装置の表示スクリーンの全てをカバーすることが可能であり、しばしば、そのようにするが、そのようなカバーは、本発明の広い概念においては必要なく、大きいスクリーンの一部に関連付けられることが可能であることを述べておく。例えば、画像が定期的に変化し、灰色色調（例えば、写真に対して）を有するディスプレイスクリーンの第１部分を有する一方、ディスプレイスクリーンの他の部分が純粋な白黒画像（例えば、白色の背景とする黒色のテキスト）を表示するように用いられている場合、本発明は第１部分について用いることが可能であり、ディスプレイスクリーンの第２部分について用いられないことが可能である。
【００４１】
要約すると、本発明について、次のように述べることが可能である。
【００４２】
電気泳動ディスプレイパネル（１）は、リセットパルス及び階調パルスの提供の間における階調パルス及びシェーキングパルスの適用に先行してリセットパルスを供給するために、複数のピクチャ要素と、駆動手段とを有する。ディスプレイパネルは、２つ又はそれ以上の散在した表示要素の群を有する。各々の群はそれら群自体のシェーキング電位差のスキーム（Ｉ、ＩＩ）を供給され、シェーキング電位差のための適用スキームは、シェーキングパルスの発生が少なくとも一部の遷移についての前記群の間で異なるように、群毎に異なっている。
【００４３】
群における分割は固定されることが可能であり、群へのスキームの割り当ては固定されることが可能であり、例えば、ここでは、オーバーリセットパルスの第１スキームは、ディスプレイ要素の偶数の行に供給され、第２の異なるスキームは奇数行について用いられ、それらの群は固定されることが可能であるが、その割り当ては、例えば、フレーム間で変わることが可能であり、また、群は固定される必要はなく、その場合、例えば、一フレームにおいて、分割は、奇数行及び偶数行を有する２つの群になされ、次のフレームにおいては、３つの群が用いられる、等であることに留意する必要がある。
【００４４】
本発明は、上記のように特定の図に示して、詳述したことに限定されないことを、当業者は理解するであろう。本発明は、各々の及び全ての新規な特徴及び各々の及び全ての新規な特徴の組み合わせに備わっている。表現“を有する”及びその表現の派生の表現は、請求項に記載されている要素又は段階以外の要素又は段階の存在を排除するものではない。要素の単数表現はそのような要素の複数の存在を排除するものではない。
【００４５】
本発明はまた、本発明のための特定の機能を実行するために、前記プログラムがコンピュータにおいて実行されるときに本発明にしたがった方法を実行するためのプログラムコード手段を有する何れのコンピュータプログラムにおいて、プログラムがコンピュータにおいて実行されるときに、本発明にしたがった方法を実行するためのコンピュータ読み出し可能媒体に記憶されているプログラムコード手段を有する何れのコンピュータプログラムプロダクトにおいて、並びに、本発明にしたがってディルプレイパネルで用いるプログラムコード手段を有する何れのプログラムプロダクトにおいて具現化される。
【００４６】
本発明については、特定の実施形態に関連して詳述したが、それらの実施形態は本発明の例示であって、本発明を限定するものと解釈されるべきではない。本発明は、ハードウェア、ファームウェア又はソフトウェア若しくはそれらの組み合わせにおいて実施されることが可能である。他の実施形態は、同時提出の特許請求の範囲における範囲内にある。
【図面の簡単な説明】
【００４７】
【図１】ディスプレイパネルの平面図である
【図２】図１のＩＩ−ＩＩ線に沿った断面図である。
【図３】電気泳動ディスプレイ装置の他の実施例の一部の断面図である。
【図４】図３のピクチャディスプレイ装置の等価回路を示す図である。
【図５Ａ】一遷移のためのピクチャ要素についての時間の関数として、電位差を示す図である。
【図５Ｂ】他の遷移のためのピクチャ要素についての時間の関数として、電位差を示す図である。
【図６Ａ】他の遷移のためのピクチャ要素についての時間の関数として、電位差を示す図である。
【図６Ｂ】他の遷移のための他のピクチャ要素についての時間の関数として、電位差を示す図である。
【図７】リセット電位差の結果としての第１アピアランス及び第２アピアランスの平均を表すピクチャを示す図である。
【図８】リセット電位差の結果としての第１アピアランス及び第２アピアランスの平均を表すピクチャを示す図である。
【図９】ピクチャ要素について時間の関数として電位差を示す図である。
【図１０】最初の灰色色調画像Ａから中間の白黒画像Ｉを介して、次の灰色色調画像Ｂへの遷移を示す図である。
【図１１】第１駆動スキームを示す図である。
【図１２】遅延時間Δが付加された図１１の駆動スキームと異なる第２駆動スキームを示す図である。
【図１３】図１１及び１２のスキームを用いて、２つの散在する群の効果を示す図である。
【図１４】本発明の他の実施形態を示す図である。
【図１５】シェーキング期間の時間の間の異なる関係を示す図である。
【図１】
2007523376.tif 000003
【図２】
2007523376.tif 000004
【図３】
2007523376.tif 000005
【図４】
2007523376.tif 000006
【図５Ａ】
2007523376.tif 000007
【図５Ｂ】
2007523376.tif 000008
【図６Ａ】
2007523376.tif 000009
【図６Ｂ】
2007523376.tif 000010
【図７】
2007523376.tif 000011
【図８】
2007523376.tif 000012
【図９】
2007523376.tif 000013
【図１０】
2007523376.tif 000014
【図１１】
2007523376.tif 000015
【図１２】
2007523376.tif 000016
【図１３】
2007523376.tif 000017
【図１４】
2007523376.tif 000018
【図１５】
2007523376.tif 000019
【国際調査報告】
2007523376.tif 000020
2007523376.tif 000021